【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
触媒系の存在下、全反応混合物を基準として２〜１００モルｐｐｍの量の水及び／又は２〜１００モルｐｐｍの量の二酸化炭素の存在下で、少なくとも一種のα−オレフィンを重合して、少なくともより高分子量のポリマー成分及びより低分子量のポリマー成分を含むポリマーを製造することを含み、当該触媒系は、少なくとも２種の異なる触媒成分を含有し、少なくとも１種の触媒成分はＴｉ、Ｚｒ、Ｈｆ、Ｓｃ、Ｖ、Ｎｂ、Ｔａ、Ｃｒ、Ｍｏ、Ｗ、Ｆｅ、Ｃｏ、Ｎｉ、Ｐｄ、Ｐｔ、希土類金属元素から選択される金属と一般式（ＩＶａ）〜（ＩＶｅ）：
【化１】
2009503158.tif 000001
（式中、
Ｒ１Ｄ及びＲ４Ｄは、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ１Ｄ及びＲ４Ｄはハロゲンによって置換されていてもよく；
Ｒ２Ｄ及びＲ３Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ２Ｄ及びＲ３Ｄはハロゲンによって置換されていてもよく、Ｒ２Ｄ及びＲ３Ｄは一緒になって１以上のヘテロ原子も存在していてよい環系を形成してもよく；
Ｒ５Ｄ〜Ｒ９Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ５Ｄ〜Ｒ９Ｄはハロゲンによって置換されていてもよく、Ｒ６ＤとＲ５Ｄ又はＲ８ＤとＲ９Ｄ又は二つのＲ７Ｄは一緒になって環系を形成してもよく；
Ｒ１０Ｄ及びＲ１４Ｄは、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ１０Ｄ及びＲ１４Ｄはハロゲンによって置換されていてもよく；
Ｒ１１Ｄ、Ｒ１２Ｄ、Ｒ１２Ｄ’、及びＲ１３Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ１１Ｄ、Ｒ１２Ｄ、Ｒ１２Ｄ’、及びＲ１３Ｄはハロゲンによって置換されていてもよく、２以上のジェミナル又は隣接する基Ｒ１１Ｄ、Ｒ１２Ｄ、Ｒ１２Ｄ’、及びＲ１３Ｄは一緒になって環系を形成してもよく；
Ｒ１５Ｄ〜Ｒ１８Ｄ及びＲ２０Ｄ〜Ｒ２４Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、又は−ＳｉＲ２６Ｄ３であり、ここで、有機基Ｒ１５Ｄ〜Ｒ１８Ｄ及びＲ２０Ｄ〜Ｒ２４Ｄはハロゲンによって置換されていてもよく、二つの隣接する基Ｒ１５Ｄ〜Ｒ１８Ｄ及びＲ２０Ｄ〜Ｒ２４Ｄは結合して５又は６員環を形成してもよく；
Ｒ１９Ｄ及びＲ２５Ｄは、それぞれ、互いに独立して、Ｃ６〜Ｃ４０アリール、アルキル基中に１〜１０個の炭素原子及びアリール基中に６〜２０個の炭素原子を有するアリールアルキル、又は−ＮＲ２６Ｄ２であり、ここで、有機基Ｒ１９Ｄ及びＲ２５Ｄはハロゲン又はＳｉ、Ｎ、Ｐ、Ｏ、若しくはＳを含む基によって置換されていてもよく；
Ｒ２０Ｄ〜Ｒ２４Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、ＮＲ２６Ｄ２、−ＳｉＲ２６Ｄ３であり、ここで、有機基Ｒ２０Ｄ〜Ｒ２５Ｄはハロゲンによって置換されていてもよく、及び／又は、二つのジェミナル又は隣接する基Ｒ２０Ｄ〜Ｒ２５Ｄは結合して５、６又は７員環を形成してもよく、及び／又は、二つのジェミナル又は隣接する基Ｒ２０Ｄ〜Ｒ２５Ｄは結合してＮ、Ｐ、Ｏ、及びＳからなる群からの少なくとも一つの原子を有する５、６、又は７員の複素環を形成してもよく；
基Ｒ２６Ｄは、それぞれ、互いに独立して、水素、Ｃ１〜Ｃ２０アルキル、５〜７員のシクロアルキル又はシクロアルケニル、Ｃ２〜Ｃ２０アルケニル、Ｃ６〜Ｃ４０アリール、又はアルキル基中に１〜１０個の炭素原子及びアリール基中に６〜２０個の炭素原子を有するアリールアルキルであり、二つの基Ｒ２６Ｄは結合して５又は６員環を形成してもよく；
ｕは、Ｅ２Ｄが窒素又はリンである場合には０であり、或いはＥ２Ｄが炭素である場合には１であり；
指数ｖは、それぞれ、互いに独立して、１又は２であり、ｖが１の場合には、一つの基を有する炭素と隣接する元素Ｅ１Ｄとの間の結合は二重結合であり、ｖが２の場合には、二つの基を有する炭素と隣接する元素Ｅ１Ｄとの間の結合は単結合であり；
ｘは、０又は１であり、ｘが０の場合には、式（ＩＶｃ）のコンプレックスは負に荷電しており；
ｙは、１〜４の整数である）
の少なくとも１種のリガンドとの遷移金属コンプレックスである、オレフィンポリマーの製造方法。
【請求項２】
少なくとも１種の触媒成分は、少なくとも１種の式（ＩＶａ）のリガンドとＦｅ、Ｃｏ、Ｎｉ、Ｐｄ又はＰｔとのコンプレックスである、請求項１に記載の方法。
【請求項３】
少なくとも１種の触媒成分は、少なくとも１種の式（ＩＶｅ）のリガンドとＦｅ、Ｃｏ又はＮｉとのコンプレックスである、請求項１に記載の方法。
【請求項４】
少なくとも１種の触媒成分は、一般式（Ｖ）：
【化２】
2009503158.tif 000002
（式中、
原子Ｅ２Ｄは、それぞれ、互いに独立して、炭素、窒素又はリンであり；
Ｒ２０Ｄ及びＲ２４Ｄは、それぞれ、互いに独立して、水素、Ｃ１〜Ｃ２０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、−ＮＲ２６Ｄ２又は−ＳｉＲ２６Ｄ３であり、ここで、有機基Ｒ２０Ｄ及びＲ２４Ｄは、また、ハロゲンによって置換されていてもよく；
Ｒ２１Ｄ〜Ｒ２３Ｄは、それぞれ、互いに独立して、水素、Ｃ１〜Ｃ２０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、ハロゲン、−ＮＲ２６Ｄ２又は−ＳｉＲ２６Ｄ３であり、ここで、有機基Ｒ２１Ｄ〜Ｒ２３Ｄは、また、ハロゲンによって置換されていてもよく、及び／又は、二つの隣接する基Ｒ２１Ｄ〜Ｒ２３Ｄは、また、結合して５、６、又は７員環を形成してもよく、及び／又は、二つの隣接する基Ｒ２１Ｄ〜Ｒ２３Ｄは、結合して、Ｎ、Ｐ、Ｏ及びＳからなる群からの少なくとも一つの原子を有する５、６、又は７員の複素環を形成し；
ｕは、Ｅ２Ｄが窒素又はリンの場合には０であり、Ｅ２Ｄが炭素の場合には１であり；
Ｒ２７Ｄ〜Ｒ３０Ｄは、それぞれ、互いに独立して、Ｃ１〜Ｃ２０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、ハロゲン、−ＮＲ２６Ｄ２、−ＯＲ２６Ｄ、又は−ＳｉＲ２６Ｄ３であり、ここで、有機基Ｒ２７Ｄ〜Ｒ３０Ｄは、また、ハロゲンによって置換されていてもよく、及び／又は、二つの隣接する基Ｒ２７Ｄ〜Ｒ３０Ｄは、また、結合して５、６、又は７員環を形成してもよく、及び／又は、二つの隣接する基Ｒ２７Ｄ〜Ｒ３０Ｄは、結合して、Ｎ、Ｐ、Ｏ及びＳからなる群からの少なくとも一つの原子を有する５、６、又は７員の複素環を形成し；
Ｒ３１Ｄ〜Ｒ３６Ｄは、それぞれ、互いに独立して、水素、Ｃ１〜Ｃ２０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、ハロゲン、−ＮＲ２６Ｄ２、−ＯＲ２６Ｄ、又は−ＳｉＲ２６Ｄ３であり、ここで、有機基Ｒ３１Ｄ〜Ｒ３６Ｄは、また、ハロゲンによって置換されていてもよく、及び／又は、二つの隣接する基Ｒ３１Ｄ〜Ｒ３６Ｄは、また、結合して５、６、又は７員環を形成してもよく、及び／又は、二つの隣接する基Ｒ３１Ｄ〜Ｒ３６Ｄは、結合して、Ｎ、Ｐ、Ｏ及びＳからなる群からの少なくとも一つの原子を有する５、６、又は７員の複素環を形成し；
基ＸＤは、それぞれ、互いに独立して、フッ素、塩素、臭素、ヨウ素、水素、Ｃ１〜Ｃ１０アルキル、Ｃ２〜Ｃ１０アルケニル、Ｃ６〜Ｃ４０アリール、アルキル基中に１〜１０個の炭素原子及びアリール基中に６〜２０個の炭素原子を有するアリールアルキル、−ＮＲ２６Ｄ２、−ＯＲ２６Ｄ、−ＳＲ２６Ｄ、−ＳＯ３Ｒ２６Ｄ、−Ｏ−Ｃ（Ｏ）−Ｒ２６Ｄ、−ＣＮ、−ＳＣＮ、β−ジケトネート、ＣＯ、ＢＦ４−、ＰＦ６−、又は嵩高な非配位アニオンであり、基ＸＤは、互いに結合してもよく；
基Ｒ２６Ｄは、それぞれ、互いに独立して、水素、Ｃ１〜Ｃ２０アルキル、Ｃ２〜Ｃ２０アルケニル、Ｃ６〜Ｃ２０アリール、アルキル基中に１〜１０個の炭素原子及びアリール基中に６〜２０個の炭素原子を有するアルキルアリールであり、ここで、有機基Ｒ２６Ｄは、また、ハロゲン又は窒素含有基及び酸素含有基によって置換されていてもよく、二つの基Ｒ２６Ｄは、また、結合して、５又は６員環を形成してもよく；
ｓは、１、２、３、又は４であり；
Ｄは、非荷電のドナーであり；
ｔは、０〜４である）
の遷移金属配位化合物である、請求項１に記載の方法。
【請求項５】
より高分子量のポリマー成分及びより低分子量のポリマー成分のコモノマー含量が少なくとも３０％異なる、請求項１〜４のいずれか１項に記載の方法。
【請求項６】
前記触媒系が、シクロペンタジエニルリガンドを含む触媒成分を含む、請求項１〜５のいずれかに記載の方法。
【請求項７】
触媒成分が、遷移金属として、チタン、ジルコニウム、ハフニウム、クロム、又はバナジウムを含む、請求項６に記載の方法。
【請求項８】
触媒成分がハフニウム又はクロムを含む、請求項７に記載の方法。
【請求項９】
前記触媒成分を、重合において担持形態で又は固体として用いる、請求項１〜８のいずれかに記載の方法。
【請求項１０】
より低分子量のポリマーフラクションに対するより高分子量のポリマーフラクションの比が、５〜９５重量％である、請求項１〜９のいずれかに記載の方法。
【請求項１１】
重合を気相中又は懸濁液中で行う、請求項１〜１０のいずれかに記載の方法。
【請求項１２】
５０〜１３０℃の温度及び０．１〜１５０ＭＰａの圧力において、少なくとも２種の異なる触媒成分を含有する触媒系の存在下で少なくとも一種のα−オレフィンを重合することを含み、より高分子量のポリマー成分の割合を減少させるために二酸化炭素を全反応混合物を基準として２〜１００モルｐｐｍの量で用い、及び／又は、より低分子量のポリマー成分の割合を減少させるために水を全反応混合物を基準として２〜１００モルｐｐｍの量で用いる、オレフィンポリマーにおけるより低分子量のポリマー成分に対するより高分子量のポリマー成分の比を制御する方法。
【請求項１３】
ポリマー生成物におけるより低分子量のポリマー成分に対するより高分子量のポリマー成分の比を測定し；
測定された比が所定の比よりも大きな場合には所定の比を達成するのに必要な二酸化炭素の量を算出するか、又は、測定された比が所定の比よりも小さな場合には所定の比を達成するのに必要な水の量を算出し；
算出された量の水又は二酸化炭素を反応混合物中に導入する；
ことを含む、請求項１２に記載の制御法を用いてオレフィンポリマーにおけるより低分子量のポリマー成分に対するより高分子量のポリマー成分の比を調節する方法。
【請求項１４】
より低分子量のポリマー成分に対するより高分子量のポリマー成分の比の測定をＮＭＲ分光法によって行う、請求項１３に記載の方法。
【請求項１５】
鉄又はコバルトをベースとする触媒成分及びシクロペンタジエニルリガンドを含む触媒成分を含む触媒系の存在下での少なくとも一種のα−オレフィンの重合中において、オレフィンポリマーにおけるより低分子量の成分に対するより高分子量の成分の比を減少させるための二酸化炭素の使用。
【請求項１６】
鉄又はコバルトをベースとする触媒成分及びシクロペンタジエニルリガンドを含む触媒成分を含む触媒系の存在下での少なくとも一種のα−オレフィンの重合中において、オレフィンポリマーにおけるより低分子量の成分に対するより高分子量の成分の比を増加させるための水の使用。
【手続補正２】
【補正対象書類名】明細書
【補正対象項目名】００４２
【補正方法】変更
【補正の内容】
【００４２】
であり；
ここで、基Ｒ９Ａ〜Ｒ１３Ａは、それぞれ、互いに独立して、水素、Ｃ１〜Ｃ２２アルキル、置換基としてＣ１〜Ｃ１０アルキル基を有していてもよい５〜７員のシクロアルキル又はシクロアルケニル、Ｃ２〜Ｃ２２アルケニル、Ｃ６〜Ｃ４０アリール、アルキル基中に１〜１６個の炭素原子及びアリール基中に６〜２１個の炭素原子を有するアリールアルキル、−ＮＲ１４Ａ２、−Ｎ（ＳｉＲ１４Ａ３）２、−ＯＲ１４Ａ、−ＯＳｉＲ１４Ａ３、又は−ＳｉＲ１４Ａ３であり、ここで、基Ｒ９Ａ〜Ｒ１３Ａはハロゲンによって置換されていてもよく、及び／又は、二つの基Ｒ９Ａ〜Ｒ１３Ａ、特に隣接する基は、それらを結合している原子と一緒に結合して、好ましくは５、６、又は７員環、或いは好ましくはＮ、Ｐ、Ｏ、又はＳからなる群からの少なくとも一つの原子を有する５、６、又は７員の複素環を形成してもよく；
基Ｒ１４Ａは、同一であっても異なっていてもよく、それぞれ、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、Ｃ１〜Ｃ１０アルコキシ、又はＣ６〜Ｃ１０アリールオキシであってよく、ここで、有機基Ｒ１４Ａはハロゲンによって置換されていてもよく、及び／又は、二つの基Ｒ１４Ａは結合して５、６、又は７員環を形成してもよく；
Ｅ６Ａ〜Ｅ１０Ａは、それぞれ、炭素であるか、或いはＥ６Ａ〜Ｅ１０Ａの１つ以下はリン又は窒素であり、好ましくは炭素であり；
或いは基Ｒ４Ａ及びＺ１Ａは、一緒になって−Ｒ１５Ａｖ−Ａ１Ａ−基を形成し；
ここで、Ｒ１５Ａは、
【手続補正３】
【補正対象書類名】明細書
【補正対象項目名】００４４
【補正方法】変更
【補正の内容】
【００４４】
−ＢＲ１６Ａ−、−（ＢＮＲ１６ＡＲ１７Ａ）−、−ＡｌＲ１６Ａ−、−Ｇｅ−、−Ｓｎ−、−Ｏ−、−Ｓ−、−ＳＯ−、ＳＯ２−、＝Ｎ−、−ＮＲ１６Ａ−、−ＣＯ−、−ＰＲ１６Ａ−、又は−（ＰＯＲ１６Ａ）−であり；
ここで、Ｒ１６Ａ〜Ｒ２１Ａは、同一か又は異なり、それぞれ、水素原子、ハロゲン原子、トリメチルシリル基、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、Ｃ１〜Ｃ１０アルコキシ、又はＣ６〜Ｃ１０アリールオキシであり、ここで、有機基Ｒ１６Ａ〜Ｒ２１Ａはハロゲンによって置換されていてもよく、及び／又は、二つの基Ｒ１６Ａ〜Ｒ２１Ａは結合して５、６、又は７員環を形成してもよく；
Ｍ２Ａ〜Ｍ４Ａは、それぞれ、ケイ素、ゲルマニウム、又はスズ、好ましくはケイ素であり；
Ａ１Ａは、−Ｏ−、−Ｓ−、−ＮＲ２２Ａ−、−ＰＲ２２Ａ−、−ＯＲ２２Ａ、−ＮＲ２２Ａ２、−ＰＲ２２Ａ２、或いは、非置換、置換、又は縮合複素環系であり；
ここで、基Ｒ２２Ａは、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ４０アリール、或いはアルキル基中に１〜１０個の炭素原子及びアリール基中に６〜２０個の炭素原子を有するアリールアルキル、又はＳｉ（Ｒ２３Ａ）３であり、ここで、有機基Ｒ２２Ａはハロゲンによって置換されていてもよく、及び／又は、二つの基Ｒ２２Ａは結合して５、６、又は７員環を形成してもよく；
Ｒ２３Ａは、水素、Ｃ１〜Ｃ１０アルキル、５〜７員のシクロアルキル又はシクロアルケニル、Ｃ２〜Ｃ２２アルケニル、Ｃ６〜Ｃ４０アリール、或いはアルキル基中に１〜１０個の炭素原子及びアリール基中に６〜２０個の炭素原子を有するアリールアルキルであり、ここで、有機基Ｒ２３Ａはハロゲンによって置換されていてもよく、及び／又は、二つの基Ｒ２３Ａは結合して５、６、又は７員環を形成してもよく；
ｖは、１であるか、又はＡ１Ａが、非置換、置換又は縮合複素環系である場合には１又は０であってもよく；
或いは、基Ｒ４Ａ及びＲ１２Ａは、一緒になって−Ｒ１５Ａ−基を形成する）
のコンプレックスである。
【手続補正４】
【補正対象書類名】明細書
【補正対象項目名】００５５
【補正方法】変更
【補正の内容】
【００５５】
のリガンドを形成し；
ここで、Ｑ１Ａ及びＱ２Ａは、それぞれ、Ｏ、ＮＲ６Ａ、ＣＲ６ＡＲ７Ａ、又はＳであり、Ｑ１Ａ及びＱ２ＡはＭ１Ａに結合しており；
ＹＡは、Ｃ又はＳであり；
ＺＡは、ＯＲ６Ａ、ＳＲ６Ａ、ＮＲ６ＡＲ７Ａ、ＰＲ６ＡＲ７Ａ、水素、Ｃ１〜Ｃ１０アルキル、５〜７員のシクロアルキル又はシクロアルケニル、Ｃ２〜Ｃ１０アルケニル、Ｃ６〜Ｃ４０アリール、アルキル基中に１〜１０個の炭素原子及びアリール基中に６〜２０個の炭素原子を有するアリールアルキル、或いは−ＳｉＲ８Ａ３であり；
Ｅ１Ａ〜Ｅ５Ａは、それぞれ、炭素であるか、或いはＥ１Ａ〜Ｅ５Ａの１つ以下はリン又は窒素であり、好ましくは炭素であり；
ｔは、１、２、又は３であり、Ｍ１Ａの価数に応じて、一般式（Ｉa）、（Ｉｂ）、（Ｉｃ）又は（Ｉｄ）のコンプレックスが非荷電となるような数であり；
Ｒ１Ａ〜Ｒ５Ａは、それぞれ、互いに独立して、水素、Ｃ１〜Ｃ２２アルキル、置換基としてＣ１〜Ｃ１０アルキル基を有していてもよい５〜７員のシクロアルキル又はシクロアルケニル、Ｃ２〜Ｃ２２アルケニル、Ｃ６〜Ｃ４０アリール、−ＮＲ８Ａ２、−Ｎ（ＳｉＲ８Ａ３）２、−ＯＲ８Ａ、−ＯＳｉＲ８Ａ３、−ＳｉＲ８Ａ３であり、ここで、基Ｒ１Ａ〜Ｒ５Ａはハロゲンによって置換されていてもよく、及び／又は、二つの基Ｒ１Ａ〜Ｒ５Ａ、特に隣接する基は、それらを結合する原子と一緒に結合して好ましくは５、６、又は７員環、或いは好ましくはＮ、Ｐ、Ｏ、及びＳからなる群からの少なくとも一つの原子を有する５、６、又は７員の複素環を形成してもよく；
Ｒ６Ａ及びＲ７Ａは、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、或いは−ＳｉＲ８Ａ３であり、ここで、基Ｒ６Ａ及びＲ７Ａはハロゲンによって置換されていてもよく、及び／又は、二つの基Ｒ６Ａ及びＲ７Ａは結合して５、６、又は７員環を形成してもよく；
基Ｒ８Ａは、同一であっても異なっていてもよく、それぞれ、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、Ｃ１〜Ｃ１０アルコキシ、又はＣ６〜Ｃ１０アリールオキシであってよく、ここで、基Ｒ８Ａはハロゲンによって置換されていてもよく、及び／又は、二つの基Ｒ８Ａは結合して５、６、又は７員環を形成してもよく；
Ｒ９Ａ〜Ｒ１３Ａは、それぞれ、互いに独立して、水素、Ｃ１〜Ｃ２２アルキル、置換基としてＣ１〜Ｃ１０アルキル基を有していてもよい５〜７員のシクロアルキル又はシクロアルケニル、Ｃ２〜Ｃ２２アルケニル、Ｃ６〜Ｃ４０アリール、アルキル基中に１〜１６個の炭素原子及びアリール基中に６〜２１個の炭素原子を有するアリールアルキル、−ＮＲ１４Ａ２、−Ｎ（ＳｉＲ１４Ａ３）２、−ＯＲ１４Ａ、−ＯＳｉＲ１４Ａ３、又は−ＳｉＲ１４Ａ３であり、ここで、基Ｒ９Ａ〜Ｒ１３Ａはハロゲンによって置換されていてもよく、及び／又は、二つの基Ｒ９Ａ〜Ｒ１３Ａ、特に隣接する基は、それらを結合している原子と一緒に結合して、好ましくは５、６、又は７員環、或いは好ましくはＮ、Ｐ、Ｏ、又はＳからなる群からの少なくとも一つの原子を有する５、６、又は７員の複素環を形成してもよく；
ここで、基Ｒ１４Ａは、同一でも異なっていてもよく、それぞれ、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、Ｃ１〜Ｃ１０アルコキシ、又はＣ６〜Ｃ１０アリールオキシであり、ここで、有機基Ｒ１４Ａはハロゲンによって置換されていてもよく、及び／又は、二つの基Ｒ１４Ａは結合して５、６、又は７員環を形成してもよく；
Ｅ６Ａ〜Ｅ１０Ａは、それぞれ、炭素であるか、或いはＥ６Ａ〜Ｅ１０Ａの１つ以下はリン又は窒素であり、好ましくは炭素であり；
或いは基Ｒ４Ａ及びＺ１Ａは、一緒になって−Ｒ１５Ａｖ−Ａ１Ａ−基を形成し；
ここで、Ｒ１５Ａは、
【手続補正５】
【補正対象書類名】明細書
【補正対象項目名】００５７
【補正方法】変更
【補正の内容】
【００５７】
であり；
ここで、Ｒ１６Ａ〜Ｒ２１Ａは、同一か又は異なり、それぞれ、水素原子、ハロゲン原子、トリメチルシリル基、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、Ｃ１〜Ｃ１０アルコキシ、又はＣ６〜Ｃ１０アリールオキシであり、ここで、有機基Ｒ１６Ａ〜Ｒ２１Ａはハロゲンによって置換されていてもよく、及び／又は、二つの基Ｒ１６Ａ〜Ｒ２１Ａは結合して５、６、又は７員環を形成してもよく；
Ｍ２Ａ〜Ｍ４Ａは、それぞれ、ケイ素、ゲルマニウム、又はスズ、好ましくはケイ素であり；
Ａ１Ａは、−Ｏ−、−Ｓ−、−ＮＲ２２Ａ−、−ＰＲ２２Ａ−、−ＯＲ２２Ａ、−ＮＲ２２Ａ２、−ＰＲ２２Ａ２、或いは、非置換、置換、又は縮合複素環系であり；
ここで、基Ｒ２２Ａは、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキル、又はＳｉ（Ｒ２３Ａ）３であり、ここで、有機基Ｒ２２Ａはハロゲンによって置換されていてもよく、及び／又は、二つの基Ｒ２２Ａは結合して５、６、又は７員環を形成してもよく；
Ｒ２３Ａは、水素、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ２３Ａはハロゲンによって置換されていてもよく、及び／又は、二つの基Ｒ２３Ａは結合して５、６、又は７員環を形成してもよく；
ｖは、１であるか、又はＡ１Ａが、非置換、置換又は縮合複素環系である場合には１又は０であってもよい）
のものが特に好ましい。
【手続補正６】
【補正対象書類名】明細書
【補正対象項目名】００７０
【補正方法】変更
【補正の内容】
【００７０】
であり；
ＡＡが、−Ｏ−、−Ｓ−、又は＞ＮＲ２２Ａであり；
ｔが、１又は２、好ましくは２であり；
Ｒ１Ａ〜Ｒ３Ａ及びＲ５Ａが、それぞれ、水素、Ｃ１〜Ｃ１０アルキル、５〜７員のシクロアルキル又はシクロアルケニル、Ｃ６〜Ｃ４０アリール、−ＮＲ８Ａ２、又は−Ｓｉ（Ｒ８Ａ）３であり、ここで、二つの基Ｒ１Ａ〜Ｒ３Ａ及びＲ５Ａは結合して５、６、又は７員環を形成してもよく、Ｒ１Ａ〜Ｒ３Ａ及びＲ５Ａの全てがメチルであることが特に好ましい；
ものである。
【手続補正７】
【補正対象書類名】明細書
【補正対象項目名】００７３
【補正方法】変更
【補正の内容】
【００７３】
であり；
ＡＡが、−ＯＲ２２Ａ、−ＮＲ２２Ａ２、−ＰＲ２２Ａ２、或いは非置換、置換、又は縮合複素環、特にヘテロ芳香環系であり；
ｖが、１であるか、或いはＡＡが非置換、置換、又は縮合複素環系である場合には１又は０であってよく；
Ｒ１Ａ〜Ｒ３Ａ及びＲ５Ａが、それぞれ、水素、Ｃ１〜Ｃ１０アルキル、５〜７員のシクロアルキル又はシクロアルケニル、Ｃ６〜Ｃ４０アリール、又は−Ｓｉ（Ｒ８Ａ）３であり、ここで、二つの基Ｒ１Ａ〜Ｒ３Ａ及びＲ５Ａは結合して５、６、又は７員環を形成してもよい；
ものである。
【手続補正８】
【補正対象書類名】明細書
【補正対象項目名】００７４
【補正方法】変更
【補正の内容】
【００７４】
コンプレックス（Ｉｄ）の好ましい態様においては、ＡＡは、非置換、置換、又は縮合ヘテロ芳香環系であり、Ｍ１Ａはクロムである。ＡＡが、非置換又は置換、例えばアルキル置換のキノリル、特に８位又は２位において結合している置換又は非置換キノリルであり、ｖが０であるか、或いはＡＡが２位において結合している置換又は非置換ピリジルであり、ｖが１であることが極めて特に好ましい。
【手続補正９】
【補正対象書類名】明細書
【補正対象項目名】００７５
【補正方法】変更
【補正の内容】
【００７５】
コンプレックス（Ｉｄ）の特に好ましい態様においては、置換基Ｒ１Ａ〜Ｒ３Ａ及びＲ５Ａの少なくとも一つはＣ６〜Ｃ４０アリールであり、ＡＡは８位又は２位において結合している置換又は非置換キノリルであり、ｖは０であるか、或いは、ＡＡは２位において結合している置換又は非置換ピリジルであり、ｖは１であり、Ｍ１Ａはクロムである。
【手続補正１０】
【補正対象書類名】明細書
【補正対象項目名】００８０
【補正方法】変更
【補正の内容】
【００８０】
（式中、
Ｍ１Ｂは、チタン、ジルコニウム、又はハフニウムであり；
Ｒ１Ｂ〜Ｒ６Ｂは、それぞれ、互いに独立して、水素、Ｃ１〜Ｃ２２アルキル、置換基としてＣ１〜Ｃ１０アルキル基を有していてもよい５〜７員のシクロアルキル又はシクロアルケニル、Ｃ２〜Ｃ２２アルケニル、Ｃ６〜Ｃ４０アリール、アルキル基中に１〜１６個の炭素原子及びアリール基中に６〜２１個の炭素原子を有するアリールアルキル、又は−ＳｉＲ９Ｂ３であり、ここで、基Ｒ１Ｂ〜Ｒ６Ｂはハロゲンによって置換されていてもよく、及び／又は、二つの基Ｒ１Ｂ〜Ｒ６Ｂ、特に隣接する基は結合して５、６、又は７員環を形成してもよく、及び／又は、二つの隣接する基Ｒ１Ｂ〜Ｒ６Ｂは、Ｎ、Ｐ、Ｏ、及びＳからなる群からの少なくとも一つの原子を有する５、６、又は７員の複素環を形成してもよく；
基ＸＢは、それぞれ、互いに独立して、フッ素、塩素、臭素、ヨウ素、水素、Ｃ１〜Ｃ１０アルキル、Ｃ２〜Ｃ１０アルケニル、Ｃ６〜Ｃ１５アリール、アルキル基中に１〜１０個の炭素原子及びアリール基中に６〜２０個の炭素原子を有するアリールアルキル、−ＯＲ７Ｂ、−ＮＲ７ＢＲ８Ｂ、−Ｏ−Ｃ（Ｏ）−Ｒ７Ｂ、又は−Ｏ−Ｃ（Ｏ）−ＮＲ７ＢＲ８Ｂであり、基ＸＢは、適当な場合には互いに結合してもよく；
Ａ１Ｂは、−Ｏ−、−ＯＲ７Ｂ−、−ＮＲ７Ｂ−、又は−ＮＲ７ＢＲ８Ｂ−であり；
ｍは、１又は２であり；
ｎは、１、２、又は３であり、Ｍ１Ｂの価数に応じて一般式（ＩＩ）のコンプレックスが非荷電となるような数であり；
ｏは、ＮＲ１Ｂが隣接する炭素と一緒になってイミンを形成する場合には１であり、或いはＮＲ１Ｂが負の電荷を有する場合には２であり；
ここで、Ｒ７Ｂ及びＲ８Ｂは、それぞれ、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、又は−ＳｉＲ９Ｂ３であり、ここで、有機基Ｒ７Ｂ及びＲ８Ｂはハロゲンによって置換されていてもよく、及び／又は、二つの基Ｒ７Ｂ及びＲ８Ｂは結合して５、６、又は７員環を形成してもよく；
基Ｒ９Ｂは、同一であっても異なっていてもよく、それぞれ、Ｃ１〜Ｃ１０アルキル、５〜７員のシクロアルキル又はシクロアルケニル、Ｃ２〜Ｃ２２アルケニル、Ｃ６〜Ｃ４０アリール、Ｃ１〜Ｃ４アルコキシ、又はＣ６〜Ｃ１０アリールオキシであってよく、ここで、有機基Ｒ９Ｂはハロゲンによって置換されていてもよく、及び／又は、二つの基Ｒ９Ｂは結合して５、６、又は７員環を形成してもよい）
のコンプレックスである。
【手続補正１１】
【補正対象書類名】明細書
【補正対象項目名】００８４
【補正方法】変更
【補正の内容】
【００８４】
（式中、
Ｍ１Ｃは、チタン、ジルコニウム、又はハフニウムであり；
Ｒ１Ｃ〜Ｒ５Ｃは、それぞれ、互いに独立して、水素、Ｃ１〜Ｃ２２アルキル、５〜７員のシクロアルキル又はシクロアルケニル、Ｃ２〜Ｃ２２アルケニル、Ｃ６〜Ｃ４０アリール、アルキル基中に１〜１６個の炭素原子及びアリール基中に６〜２１個の炭素原子を有するアリールアルキル、又は−ＳｉＲ８Ｃ３であり、ここで、有機基Ｒ１Ｃ〜Ｒ５Ｃはハロゲンによって置換されていてもよく、及び／又は、二つの基Ｒ１Ｃ〜Ｒ５Ｃ、特に隣接する基は結合して５、６、又は７員環を形成してもよく、及び／又は、二つの隣接する基Ｒ１Ｃ〜Ｒ５Ｃは、Ｎ、Ｐ、Ｏ、及びＳからなる群からの少なくとも一つの原子を有する５、６、又は７員の複素環を形成してもよく；
基Ｘ１Ｃは、それぞれ、互いに独立して、フッ素、塩素、臭素、ヨウ素、水素、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、−ＯＲ６Ｃ、−ＮＲ６ＣＲ７Ｃ、−Ｏ−Ｃ（Ｏ）−Ｒ６Ｃ、又は−Ｏ−Ｃ（Ｏ）−ＮＲ６ＣＲ７Ｃであり、基Ｘ１Ｃは、適当な場合には互いに結合してもよく；
Ａ１Ｃは、−ＣＲ６ＣＲ７Ｃ−、又は−ＣＲ６Ｃ＝であり；
ｍは、１又は２であり；
ｎは、１、２、又は３であり、Ｍ１Ｃの価数に応じて一般式（ＩＩＩ）のコンプレックスが非荷電となるような数であり；
ｏは、０又は１であり；
ここで、Ｒ６Ｃ及びＲ７Ｃは、それぞれ、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、又は−ＳｉＲ８Ｃ３であり、ここで、有機基Ｒ６Ｃ及びＲ７Ｃはハロゲンによって置換されていてもよく、及び／又は、二つの基Ｒ６Ｃ及びＲ７Ｃは結合して５、６、又は７員環を形成してもよく；
基Ｒ８Ｃは、同一であっても異なっていてもよく、それぞれ、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、Ｃ１〜Ｃ４アルコキシ、又はＣ６〜Ｃ１０アリールオキシであってよく、ここで、有機基Ｒ８Ｃはハロゲンによって置換されていてもよく、及び／又は、二つの基Ｒ８Ｃは結合して５、６、又は７員環を形成してもよい）
のものである。
【手続補正１２】
【補正対象書類名】明細書
【補正対象項目名】００９１
【補正方法】変更
【補正の内容】
【００９１】
基Ｒ１Ｄ〜Ｒ２５Ｄは、リガンド系（ＩＶａ）〜（ＩＶｅ）内において同一であっても異なっていてもよく、以下の基である。
Ｒ１Ｄ及びＲ４Ｄは、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ１Ｄ及びＲ４Ｄはハロゲンによって置換されていてもよく、元素Ｅ１Ｄに隣接する炭素原子が少なくとも二つの炭素原子に結合している炭化水素基が好ましく；
Ｒ２Ｄ及びＲ３Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ２Ｄ及びＲ３Ｄはハロゲンによって置換されていてもよく、Ｒ２Ｄ及びＲ３Ｄは一緒になって１以上のヘテロ原子も存在していてよい環系を形成してもよく；
Ｒ５Ｄ〜Ｒ９Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ５Ｄ〜Ｒ９Ｄはハロゲンによって置換されていてもよく、Ｒ６ＤとＲ５Ｄ又はＲ８ＤとＲ９Ｄ又は二つのＲ７Ｄは一緒になって環系を形成してもよく；
Ｒ１０Ｄ及びＲ１４Ｄは、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ１０Ｄ及びＲ１４Ｄはハロゲンによって置換されていてもよく；
Ｒ１１Ｄ、Ｒ１２Ｄ、Ｒ１２Ｄ’、及びＲ１３Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、又はアルキル基中に１〜１０個の炭素原子及びアリール基中に６〜２０個の炭素原子を有するアリールアルキルであり、ここで、有機基Ｒ１１Ｄ、Ｒ１２Ｄ、Ｒ１２Ｄ’、及びＲ１３Ｄはハロゲンによって置換されていてもよく、２以上のジェミナル又は隣接する基Ｒ１１Ｄ、Ｒ１２Ｄ、Ｒ１２Ｄ’、及びＲ１３Ｄは一緒になって環系を形成してもよく；
Ｒ１５Ｄ〜Ｒ１８Ｄ及びＲ２０Ｄ〜Ｒ２４Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、又は−ＳｉＲ２６Ｄ３であり、ここで、有機基Ｒ１５Ｄ〜Ｒ１８Ｄ及びＲ２０Ｄ〜Ｒ２４Ｄはハロゲンによって置換されていてもよく、二つの隣接する基Ｒ１５Ｄ〜Ｒ１８Ｄ及びＲ２０Ｄ〜Ｒ２４Ｄは結合して５又は６員環を形成してもよく；
Ｒ１９Ｄ及びＲ２５Ｄは、それぞれ、互いに独立して、Ｃ６〜Ｃ４０アリール、アルキル基中に１〜１０個の炭素原子及びアリール基中に６〜２０個の炭素原子を有するアリールアルキル、又は−ＮＲ２６Ｄ２であり、ここで、有機基Ｒ１９Ｄ及びＲ２５Ｄはハロゲン又はＳｉ、Ｎ、Ｐ、Ｏ、若しくはＳを含む基によって置換されていてもよく；
Ｒ２０Ｄ〜Ｒ２４Ｄは、それぞれ、互いに独立して、水素、Ｃ１〜Ｃ１０アルキル、５〜７員のシクロアルキル又はシクロアルケニル、Ｃ２〜Ｃ２２アルケニル、Ｃ６〜Ｃ４０アリール、アルキル基中に１〜１０個の炭素原子及びアリール基中に６〜２０個の炭素原子を有するアリールアルキル、ＮＲ２６Ｄ２、−ＳｉＲ２６Ｄ３であり、ここで、有機基Ｒ２０Ｄ〜Ｒ２４Ｄはハロゲンによって置換されていてもよく、及び／又は、二つのジェミナル又は隣接する基Ｒ２０Ｄ〜Ｒ２４Ｄは結合して５、６又は７員環を形成してもよく、及び／又は、二つのジェミナル又は隣接する基Ｒ２０Ｄ〜Ｒ２４Ｄは結合してＮ、Ｐ、Ｏ、及びＳからなる群からの少なくとも一つの原子を有する５、６、又は７員の複素環を形成してもよく；
基Ｒ２６Ｄは、それぞれ、互いに独立して、水素、Ｃ１〜Ｃ２０アルキル、５〜７員のシクロアルキル又はシクロアルケニル、Ｃ２〜Ｃ２０アルケニル、Ｃ６〜Ｃ４０アリール、又はアルキル基中に１〜１０個の炭素原子及びアリール基中に６〜２０個の炭素原子を有するアリールアルキルであり、二つの基Ｒ２６Ｄは結合して５又は６員環を形成してもよく；
ｕは、Ｅ２Ｄが窒素又はリンである場合には０であり、或いはＥ２Ｄが炭素である場合には１であり；
指数ｖは、それぞれ、互いに独立して、１又は２であり、ｖが１の場合には、一つの基を有する炭素と隣接する元素Ｅ１Ｄとの間の結合は二重結合であり、ｖが２の場合には、二つの基を有する炭素と隣接する元素Ｅ１Ｄとの間の結合は単結合であり；
ｘは、０又は１であり、ｘが０の場合には、式（ＩＶｃ）のコンプレックスは負に荷電しており；
ｙは、１〜４の整数、好ましくは２又は３である。